(57)【要約】【課題】  建築工事の専門業者が、効率よく、より多くの工事情報を入手でき、一方、このような業者に工事を発注する依頼者は、より多くの業者の、より豊富な情報を、効率よく入手できる建築工事の新規取引業者開拓システムを提案する。【解決手段】    ネットワークに接続可能なｗｅｂサーバからなり、業者情報登録処理部、依頼者情報登録処理部、工事発注情報登録処理部、各工事発注情報と各工事発注情報に含まれている条件に対応する条件を備えている業者との組み合わせ情報を生成するマッチング処理部、前記マッチング処理部での処理の結果、業者の端末に対して概略工事発注情報を出力すると共に依頼者の端末に対して概略業者情報を出力する概略情報生成処理部、工事発注情報検索用情報送信処理部、業者情報検索用情報送信処理部、工事発注情報送信処理部及び、業者情報送信処理部を備えている建築工事の新規取引業者開拓システム。【選択図】  図１
2006011773.tif 000002
【特許請求の範囲】
【請求項１】
ネットワークに接続可能なｗｅｂサーバからなり、
情報取得部で業者情報を取得した際に、当該業者情報を送信してきた業者を特定する業者ＩＤと業者パスワードとを付与し、前記業者情報と当該業者ＩＤ及び業者パスワードとを関連づけて業者情報データベースに登録すると共に、当該業者ＩＤと業者パスワードとを情報出力部からネットワークを介して当該業者の端末へ出力する業者情報登録処理部と、
情報取得部で依頼者情報を取得した際に、当該依頼者情報を送信してきた依頼者を特定する依頼者ＩＤと依頼者パスワードを付与し、前記依頼者情報と当該依頼者ＩＤ及び依頼者パスワードとを関連づけて依頼者情報データベースに登録すると共に、当該依頼者ＩＤと依頼者パスワードとを情報出力部からネットワークを介して当該依頼者の端末へ出力する依頼者情報登録処理部と、
情報取得部で依頼者を特定する情報を含む工事発注情報を取得した際に、当該工事発注情報に発注番号と発注パスワードとを付与し、前記工事発注情報と当該発注番号及び発注パスワードとを関連づけて工事発注情報データベースに登録する工事発注情報登録処理部と、
工事発注情報データベースに登録されている工事発注情報と、業者情報データベースに登録されている業者とのマッチング処理を行ない、各工事発注情報と、各工事発注情報に含まれている条件に対応する条件を備えている業者との組み合わせ情報を生成するマッチング処理部と、
前記マッチング処理部での処理の結果、各工事発注情報に組み合わされた前記業者の端末に対して、情報出力部からネットワークを介して、当該組み合わされた各工事発注情報の中から抽出した所定の概略工事発注情報を出力すると共に、前記マッチング処理部での処理の結果、各業者に組み合わされた前記工事依発注情報に含まれている依頼者情報で特定される前記依頼者情報データベースに登録されている依頼者の端末に対して、情報出力部からネットワークを介して、前記組み合わされた業者情報の中から抽出した所定の概略業者情報を出力する概略情報生成処理部と、
情報取得部で取得した工事発注情報検索用情報の要求に対して、ネットワークを介して、当該工事発注情報検索用情報の要求を送信してきた業者の端末に対して、工事発注情報の検索を促す工事発注情報検索用情報を出力する工事発注情報検索用情報送信処理部と、
情報取得部で取得した業者情報検索用情報の要求に対して、ネットワークを介して、当該業者情報検索用情報の要求を送信してきた依頼者の端末に対して、業者情報の検索を促す業者情報検索用情報を出力する業者情報検索用情報送信処理部と、
情報取得部で取得した工事発注情報検索要求情報に基づき、前記工事発注情報データベースに登録されている工事発注情報を検索して当該工事発注情報検索要求情報に対応する工事発注情報を抽出し、抽出後の工事発注情報を、ネットワークを介して、当該工事発注情報検索要求情報を送信してきた業者の端末へ送信する工事発注情報送信処理部と、
情報取得部で取得した業者情報検索要求情報に基づき、前記業者情報データベースに登録されている業者情報を検索して当該業者情報検索要求情報に対応する業者情報を抽出し、抽出後の業者情報を、ネットワークを介して、当該業者情報検索要求情報を送信してきた依頼者の端末へ送信する業者情報送信処理部と、
を備えていることを特徴とする建築工事の新規取引業者開拓システム。
【請求項２】
情報取得部で取得した業者評価情報に付帯されている依頼者ＩＤと依頼者パスワードとを認証し、業者情報データベースに登録されている業者情報の中の、当該業者評価情報で特定される業者情報に、当該業者評価情報に含まれている業者評価情報を登録する処理を行う業者評価情報登録処理部
を更に備えていることを特徴とする請求項１記載の建築工事の新規取引業者開拓システム。
【発明の詳細な説明】
【技術分野】
【０００１】
この発明は、インターネット等のネットワークを利用して、建築関係工事の専門業者（例えば、弋工事、土工などの建築工事の専門業者や、機械設備工事・電気設備工事の専門業者など）と、このような建築関係工事の専門業者に建築関係工事を依頼する元受業者、設計事務所との間での工事の発注、受注といった取引や、新規取引、また前記のような建築関係工事の専門業者同士の間での建築関係工事の発注、受注、または付随する資材販売といった取引や、新規取引という建築工事全般の取引や、新規取引を効率的かつ円滑に行なうことを可能ならしめる建築工事の新規取引業者開拓システムに関する。
【背景技術】
【０００２】
従来、弋工事、土工などの建築工事の専門業者が工事を受注するときには、特定の元請会社の下請けとして、特定の元受会社などから工事情報を入手し、一部の同業者と争って受注に結びつけるのが一般的であった。また、設計事務所に業務協力することで工事情報を入手し、受注に結びつけることも行なわれていた。
【０００３】
一方、弋工事、土工などの建築工事の専門業者を利用する建築工事の元請会社や、設計事務所などが、前記のような専門業者を探して建築工事を発注する場合には、従来から付き合いのあった専門業者に発注するのが一般的であった。
【０００４】
建築工事の受発注取引における前述した従来の方法では、弋工事、土工などの建築工事の専門業者が新規の取引先を開拓すべく営業活動を効率的、積極的に行なうことが難しく、一方、建築工事の元請会社や、設計事務所などは、より高い技術を持った建築工事の専門業者を探したり、コスト面での複数の専門業者間における比較・検討を行なうことが難しいといった問題があった。
【０００５】
インターネット等の情報技術関連の基盤整備が進む中で、商取引にコンピュータ、インターネットを利用して、従来の取引先でなかったところへ積極的、効率的に営業活動を行なったり、従来になかった大量の事業者を探し出し、コスト面でも多くの事業者から簡単に見積もりを得て、良質で、費用の面でもより合理的な事業者と取引できるようにするシステムが種々の事業分野で提案されている。
【０００６】
しかし、弋工事、土工などを請け負う建築工事の専門業者と、このような建築工事の専門業者に仕事を発注する元請会社、設計事務所などとの間での受発注にあたって、インターネット等のネットワークを利用したシステムは、これまで提案されていなかった。
【０００７】
建築工事の分野では、特開２００１−２０９７４０号公報に、内外装工事受注・施工システムの提案がされているが、これは内外装資材供給者と内外装工事受注業者と内外装工事施工業者との間の取引を円滑に仲介することを目的とするシステムであって、弋工事、土工などを請け負う建築工事の専門業者と、このような建築工事の専門業者に仕事を発注する元請会社、設計事務所などとの間の取引に関するものではなかった。
【特許文献１】特開２００１−２０９７４０号公報
【発明の開示】
【発明が解決しようとする課題】
【０００８】
この発明は、弋工事、土工などを請け負う建築工事の専門業者と、このような建築工事の専門業者に仕事を発注する元請会社、設計事務所などとの間での受発注にあたって利用される、インターネット等のネットワークを利用した建築工事の新規取引業者開拓システムを提案することを目的としている。
【０００９】
特に、弋工事、土工などを請け負う建築工事の専門業者は、効率よく、より多くの工事情報を入手することができて、このような専門業者における営業活動を効率化することができると共に、新規取引の拡大、受注拡大の可能性を増やすことができ、一方、このような建築工事の専門業者に仕事を発注する元請会社、設計事務所は、より多くの専門業者の、より豊富な情報を、効率よく入手できて、工事を発注する専門業者の選択肢を増やすことができると共に、高い技術を持った専門業者や、より低コストでより高品質な建築工事を行なう専門業者を効率よく探し出すことのできる建築工事の新規取引業者開拓システムを提案することを目的としている。
【課題を解決するための手段】
【００１０】
前記目的を達成するため、この発明が提案する建築工事の新規取引業者開拓システムは、ネットワークに接続可能なｗｅｂサーバからなり、以下に説明する業者情報登録処理部と、依頼者情報登録処理部と、工事発注情報登録処理部と、マッチング処理部と、概略情報生成処理部と、工事発注情報検索用情報送信処理部と、業者情報検索用情報送信処理部と、工事発注情報送信処理部と、業者情報送信処理部とを備えていることを特徴とするものである。
【００１１】
ここで、業者情報登録処理部は、情報取得部で業者情報を取得した際に、当該業者情報を送信してきた業者を特定する業者ＩＤと業者パスワードとを付与し、前記業者情報と当該業者ＩＤ及び業者パスワードとを関連づけて業者情報データベースに登録すると共に、当該業者ＩＤと業者パスワードとを情報出力部からネットワークを介して当該業者の端末へ出力するコンピュータの処理動作部である。
【００１２】
依頼者情報登録処理部は、情報取得部で依頼者情報を取得した際に、当該依頼者情報を送信してきた依頼者を特定する依頼者ＩＤと依頼者パスワードとを付与し、前記依頼者情報と当該依頼者ＩＤ及び依頼者パスワードとを関連づけて依頼者情報データベースに登録すると共に、当該依頼者ＩＤと依頼者パスワードとを情報出力部からネットワークを介して当該依頼者の端末へ出力するコンピュータの処理動作部である。
【００１３】
工事発注情報登録処理部は、情報取得部で依頼者を特定する情報を含む工事発注情報を取得した際に、当該工事発注情報に発注番号と発注パスワードとを付与し、前記工事発注情報と当該発注番号及び発注パスワードとを関連づけて工事発注情報データベースに登録するコンピュータの処理動作部である。
【００１４】
マッチング処理部は、工事発注情報データベースに登録されている工事発注情報と、業者情報データベースに登録されている業者とのマッチング処理を行ない、各工事発注情報と、各工事発注情報に含まれている条件に対応する条件を備えている業者との組み合わせ情報を生成するコンピュータの処理動作部である。
【００１５】
概略情報生成処理部は、前記マッチング処理部での処理の結果、各工事発注情報に組み合わされた前記業者の端末に対して、情報出力部からネットワークを介して、当該組み合わされた各工事発注情報の中から抽出した所定の概略工事発注情報を出力すると共に、前記マッチング処理部での処理の結果、各業者に組み合わされた前記工事依発注情報に含まれている依頼者情報で特定される前記依頼者情報データベースに登録されている依頼者の端末に対して、情報出力部からネットワークを介して、前記組み合わされた業者情報の中から抽出した所定の概略業者情報を出力するコンピュータの処理動作部である。
【００１６】
工事発注情報検索用情報送信処理部は、情報取得部で取得した工事発注情報検索用情報の要求に対して、ネットワークを介して、当該工事発注情報検索用情報の要求を送信してきた業者の端末に対して、工事発注情報の検索を促す工事発注情報検索用情報を出力するコンピュータの処理動作部である。
【００１７】
なお、この工事発注情報検索用情報送信処理部は、情報取得部で取得した工事発注情報検索用情報の要求に付帯されている業者ＩＤと業者パスワードとを認証し、認証を終えた後に、工事発注情報検索用情報の要求を送信してきた業者の端末に対して、工事発注情報の検索を促す工事発注情報検索用情報を出力するようにすることもできる。
【００１８】
業者情報検索用情報送信処理部は、情報取得部で取得した業者情報検索用情報の要求に対して、ネットワークを介して、当該業者情報検索用情報の要求送信してきた依頼者の端末に対して、業者情報の検索を促す業者情報検索用情報を出力するコンピュータの処理動作部である。
【００１９】
なお、この業者情報検索用情報送信処理部は、情報取得部で取得した業者情報検索用情報の要求に付帯されている依頼者ＩＤと依頼者パスワードとを認証し、認証を終えた後に、業者情報検索用情報の要求送信してきた依頼者の端末に対して、業者情報の検索を促す業者情報検索用情報を出力するようにすることもできる。
【００２０】
工事発注情報送信処理部は、情報取得部で取得した工事発注情報検索要求情報に基づき、前記工事発注情報データベースに登録されている工事発注情報を検索して当該工事発注情報検索要求情報に対応する工事発注情報を抽出し、抽出後の工事発注情報を、ネットワークを介して、当該工事発注情報検索要求情報を送信してきた業者の端末へ送信するコンピュータの処理動作部である。
【００２１】
なお、この工事発注情報送信処理部は、工事発注情報検索要求情報に付帯されている業者ＩＤと業者パスワードとを認証し、認証を終えた後に、工事発注情報検索要求情報を送信してきた業者の端末へ、前記抽出後の工事発注情報を、ネットワークを介して、送信するようにすることもできる。
【００２２】
業者情報送信処理部は、情報取得部で取得した業者情報検索要求情報に基づき、前記業者情報データベースに登録されている業者情報を検索して当該業者情報検索要求情報に対応する業者情報を抽出し、抽出後の業者情報を、ネットワークを介して、当該業者情報検索要求情報を送信してきた依頼者の端末へ送信するコンピュータの処理動作部である。
【００２３】
なお、この業者情報送信処理部は、業者情報検索要求情報付帯されている依頼者ＩＤと依頼者パスワードとを認証し、認証を終えた後に、業者情報検索要求情報を送信してきた依頼者の端末へ、前記抽出後の業者情報を、ネットワークを介して、送信するようにすることもできる。
【００２４】
以上の本発明の建築工事の新規取引業者開拓システムにおいて、情報取得部で取得した業者評価情報に付帯されている依頼者ＩＤと依頼者パスワードとを認証し、業者情報データベースに登録されている業者情報の中の、当該業者評価情報で特定される業者情報に、当該業者評価情報に含まれている業者評価情報を登録する処理を行うコンピュータの処理動作部である業者評価情報登録処理部を更に備えている構成にすることができる。
【００２５】
本発明の建築工事の新規取引業者開拓システムは、インターネット等の有線又は無線のネットワークに接続可能なサーバコンピュータ等のコンピュータによって実現することができる。
【００２６】
そして、前述した業者情報登録処理部、依頼者情報登録処理部、工事発注情報登録処理部、マッチング処理部、概略情報生成処理部、工事発注情報検索用情報送信処理部、業者情報検索用情報送信処理部、工事発注情報送信処理部、業者情報送信処理部、業者評価情報登録処理部は、それぞれ、前述した処理動作を前記のサーバコンピュータ等のコンピュータの処理動作部に行わせるコンピュータプログラムの指示に基づいて、前述した各処理動作を行うコンピュータの処理動作部によって実現される。
【００２７】
本発明の建築工事の新規取引業者開拓システムによれば、マッチング処理部が、工事発注情報データベースに登録されている工事発注情報と、業者情報データベースに登録されている業者とのマッチング処理を行ない、各工事発注情報と、各工事発注情報に含まれている条件に対応する条件を備えている業者との組み合わせ情報を生成する。
【００２８】
例えば、工事発注情報に発注を依頼する工事の種類（工種）の中に弋工事があるときに、提供可能な工事の種類（工種）の中に弋工事が含まれている業者を、当該工事発注情報に組合わせて組み合わせ情報を生成する。あるいは、工事発注情報に発注を依頼する工事の場所として、静岡県沼津市とあるときに、工事、等の仕事を提供可能な場所として静岡県沼津市が含まれている業者を、当該工事発注情報に組合わせて組み合わせ情報を生成する。
【００２９】
また、概略情報生成処理部が、前記マッチング処理部での処理の結果、各工事発注情報に組み合わされた前記業者の端末に対して、情報出力部からネットワークを介して、当該組み合わされた各工事発注情報の中から抽出した所定の概略工事発注情報（例えば、前記の発注番号と、工種、細目、発注状況、工事タイトル、必要事項、概算数量、工事場所、見積提出期限、発注元は情報、などを含む各工事発注情報の概略）を出力すると共に、前記マッチング処理部での処理の結果、各業者に組み合わされた前記工事依発注情報に含まれている依頼者情報で特定される前記依頼者情報データベースに登録されている依頼者の端末に対して、情報出力部からネットワークを介して、前記組み合わされた業者情報の中から抽出した所定の概略業者情報（例えば、業種、会社名、主な仕事内容、セールスポイント、等を含む業者情報の概略）を出力する。
【００３０】
このマッチング処理部が行う処理及び、概略情報生成処理部が行う各工事発注情報に組み合わされた前記業者の端末（例えば、携帯電話やパーソナルコンピュータ）に対して、情報出力部（例えば、本発明の建築工事の新規取引業者開拓システムが実現されているサーバコンピュータにおけるインターフェース部、等のように、有線又は無線のネットワークへの情報出力を行う機能部）からネットワークを介して、当該組み合わされた各工事発注情報の中から抽出した所定の概略工事発注情報を出力する処理は、本発明の建築工事の新規取引業者開拓システムが実現されている、インターネット等の有線又は無線のネットワークに接続可能なサーバコンピュータ等のコンピュータが、情報取得部（例えば、本発明の建築工事の新規取引業者開拓システムが実現されているサーバコンピュータにおけるインターフェース部、等のように、有線又は無線のネットワークからの情報受信を行う機能部）で工事発注情報を取得した時点で、自動的に行われる構成にすることができる。
【００３１】
また、このマッチング処理部が行う処理及び、概略情報生成処理部が行う各業者に組み合わされた前記工事依発注情報に含まれている依頼者情報で特定される前記依頼者情報データベースに登録されている依頼者の端末（例えば、携帯電話やパーソナルコンピュータ）に対して、情報出力部からネットワークを介して、前記組み合わされた業者情報の中から抽出した所定の概略業者情報を出力する処理は、情報取得部で依頼者を特定する情報を含む工事発注情報を取得した際に、当該工事発注情報に発注番号と発注パスワードとを付与し、前記工事発注情報と当該発注番号及び発注パスワードとを関連づけて工事発注情報データベースに登録する工事発注情報登録処理部の処理動作が行われた時点で、自動的に行われる構成にすることができる。
【００３２】
そこで、本発明の建築工事の新規取引業者開拓システムにアクセスし、業者情報登録処理部による登録処理を受けた業者（例えば、建設会社、建築会社など）は、自社が提供可能な工事の種類（工種）が含まれている工事発注情報の概略や、あるいは、自社が、工事、等の仕事を提供可能な場所が含まれている工事発注情報の概略を、本発明の建築工事の新規取引業者開拓システムが実現されているサーバコンピュータの情報取得部が、工事発注情報を取得し、前述したマッチング処理部の処理が行われると、概略情報生成処理部の処理動作によって、逐次、受け取ることができる。
【００３３】
また、本発明の建築工事の新規取引業者開拓システムにアクセスし、工事発注情報を前記工事発注情報登録処理部の処理動作によって登録した依頼者（工事発注者）は、発注依頼したい工事の種類（工種）が提供可能な工事の種類（工種）に含まれている業者情報の概略や、発注依頼したい工事、等の場所が、工事、等の仕事を提供可能な場所に含まれている業者情報の概略を、前述したマッチング処理部の処理が行われると、概略情報生成処理部の処理動作によって、逐次、受け取ることができる。
【００３４】
こうして、工事発注情報の概略を受け取った業者が、本発明の建築工事の新規取引業者開拓システムにアクセスして、工事発注情報検索用情報を要求することにより、本発明の建築工事の新規取引業者開拓システムの工事発注情報検索用情報送信処理部が、ネットワークを介して、当該業者の端末（例えば、携帯電話や、パーソナルコンピュータ）に対して、工事発注情報の検索を促す工事発注情報検索用情報を出力する。あるいは、前記の情報取得部で取得した工事発注情報検索用情報を要求に付帯している業者ＩＤと業者パスワードとを認証し、この認証を終えた後に、当該業者の端末に対して、工事発注情報の検索を促す工事発注情報検索用情報を出力する。
【００３５】
これに対して、前記業者が、前記の工事発注情報検索用情報に基づいて、工事発注情報検索要求情報を自己の端末（例えば、携帯電話や、パーソナルコンピュータ）から、ネットワークを介して、本発明の建築工事の新規取引業者開拓システムに送信することにより、本発明の建築工事の新規取引業者開拓システムの工事発注情報送信処理部が、情報取得部で取得した工事発注情報検索要求情報に基づき、前記工事発注情報データベースに登録されている工事発注情報を検索して当該工事発注情報検索要求情報に対応する工事発注情報を抽出し、抽出後の工事発注情報を、ネットワークを介して、当該工事発注情報検索要求情報を送信してきた業者の端末へ送信する。あるいは、工事発注情報送信処理部が、前記工事発注情報検索要求情報に付帯している業者ＩＤと業者パスワードとを認証し、この認証を終えた後に、工事発注情報検索要求情報を送信してきた業者の端末へ、前記抽出後の工事発注情報を、ネットワークを介して、送信する。
【００３６】
これによって、業者は、効率よく、より多くの工事情報を入手することができて、このような業者における営業活動を効率化することができると共に、新規取引の拡大、受注拡大の可能性を増やすことができる。
【００３７】
一方、業者情報の概略を受け取った依頼者（工事発注者）が、本発明の建築工事の新規取引業者開拓システムにアクセスして、業者情報検索用情報の要求を行うことにより、本発明の建築工事の新規取引業者開拓システムの業者情報検索用情報送信処理部が、ネットワークを介して、当該依頼者の端末（例えば、携帯電話や、パーソナルコンピュータ）に対して、業者情報の検索を促す業者情報検索用情報を出力する。あるいは、業者情報検索用情報送信処理部が、前記業者情報検索用情報の要求に付帯している依頼者IDと依頼者パスワードとを認証し、認証を終えた後に、ネットワークを介して、業者情報の検索を促す業者情報検索用情報を、前記依頼者の端末（例えば、携帯電話や、パーソナルコンピュータ）に対して、出力する。
【００３８】
これに対して、前記依頼者が、前記の業者情報検索用情報に基づいて、業者情報検索要求情報を自己の端末（例えば、携帯電話や、パーソナルコンピュータ）から、ネットワークを介して、本発明の建築工事の新規取引業者開拓システムに送信することにより、本発明の建築工事の新規取引業者開拓システムの業者情報送信処理部が、情報取得部で取得した業者情報検索要求情報に基づき、前記業者情報データベースに登録されている業者情報を検索して当該業者情報検索要求情報に対応する業者情報を抽出し、抽出後の業者情報を、ネットワークを介して、当該業者情報検索要求情報を送信してきた依頼者の端末へ送信する。あるいは、業者情報送信処理部が、前記業者情報検索用情報に付帯している依頼者ＩＤと依頼者パスワードとを認証し、この認証を終えた後に、業者情報検索要求情報を送信してきた依頼者の端末へ、前記抽出後の業者情報を、ネットワークを介して、送信する。
【００３９】
これによって、依頼者（工事発注者）は、より多くの専門業者の、より豊富な情報を、効率よく入手できて、工事を発注する専門業者の選択肢を増やすことができると共に、高い技術を持った専門業者や、より低コストでより高品質な建築工事を行なう専門業者を効率よく探し出すことができる。
【００４０】
なお、このようにして、本発明の建築工事の新規取引業者開拓システムを利用することにより、業者と依頼者（工事発注者）との間で商談がまとまり、工事が発注されて、完了した後、依頼者（工事発注者）が、本発明の建築工事の新規取引業者開拓システムにアクセスして、依頼者ＩＤと依頼者パスワードとを通知して業者評価情報を送信することにより、本発明の建築工事の新規取引業者開拓システムの業者評価情報登録処理部が、情報取得部で取得した業者評価情報に付帯されている依頼者ＩＤと依頼者パスワードとを認証し、業者情報データベースに登録されている業者情報の中の、当該業者評価情報で特定される業者情報に、当該業者評価情報に含まれている業者評価情報を登録する処理を行う。
【００４１】
これによって、本発明の建築工事の新規取引業者開拓システムを利用して仕事を受注した業者の仕事内容、等に対する評価が業者情報データベースに蓄積されていくので、依頼者（工事発注者）は、かかる情報を利用することにより、高い技術を持った専門業者や、より低コストでより高品質な建築工事を行なう専門業者をより効率よく探し出競るようになる。
【発明の効果】
【００４２】
この発明によれば、弋工事、土工などを請け負う建築工事の専門業者と、このような建築工事の専門業者に仕事を発注する元請会社、設計事務所などとの間での受発注にあたって利用される、インターネット等のネットワークを利用した建築工事の新規取引業者開拓システムを提供することができる。
【００４３】
特に、この発明の建築工事の新規取引業者開拓システムによれば、弋工事、土工などを請け負う建築工事の専門業者は、効率よく、より多くの工事情報を入手することができて、このような専門業者における営業活動を効率化することができると共に、新規取引の拡大、受注拡大の可能性を増やすことができ、一方、このような建築工事の専門業者に仕事を発注する元請会社、設計事務所は、より多くの専門業者の、より豊富な情報を、効率よく入手できて、工事を発注する専門業者の選択肢を増やすことができると共に、高い技術を持った専門業者や、より低コストでより高品質な建築工事を行なう専門業者を効率よく探し出すことができる。
【発明を実施するための最良の形態】
【００４４】
以下、添付図面を参照して本発明の好ましい実施形態を説明する。
【００４５】
この発明が提案する建築工事の新規取引業者開拓システムは、弋工事、土工などを請け負う建築工事の専門業者、等の業者（本明細書において、単に「業者」と表すことがある）と、このような建築工事の専門業者に仕事を発注する元請会社、設計事務所などの依頼者（本明細書において、単に「依頼者」と表すことがある）との間での受発注にあたって利用される、インターネット等の有線又は無線のネットワークを利用したシステムであって、例えば、図１に、「管理サーバー」と表示されているような、インターネット等の有線又は無線のネットワークに接続可能なサーバコンピュータ等のコンピュータによって実現される。
【００４６】
このコンピュータによって実現される本発明の建築工事の新規取引業者開拓システム１は、図２５図示のように、処理動作部２、有線又は無線のネットワークへの情報出力を行うインターフェース部や、CRTなどの画像表示手段に画像情報を表示・出力したり、印刷手段にて情報を印刷出力する機能などを果たす情報出力部３、有線又は無線のネットワークからの情報受信を行うインターフェース部や、キーボード、ポインティングデバイス等からなる情報取得部４、主記憶部５と、種々のデータベース（以下、単に、「DB」と表すことがある）とを備えている。
【００４７】
処理動作部２は、前述した業者情報登録処理部１１、依頼者情報登録処理部１２、工事発注情報登録処理部１３、マッチング処理部１４、概略情報生成処理部１５、工事発注情報検索用情報送信処理部１６、業者情報検索用情報送信処理部１７、工事発注情報送信処理部１８、業者情報送信処理部１９、業者評価情報登録処理部２０としての各処理動作を行う。
【００４８】
主記憶部５には、業者情報登録処理部１１〜業者評価情報登録処理部２０の前述した各処理動作をコンピュータに実行させるコンピュータプログラムの他、本発明の建築工事の新規取引業者開拓システムをコンピュータで実行、実現するために必要なコンピュータプログラムが格納されている。
【００４９】
種々のデータベースには、業者情報DB３１、依頼者情報DB３２、工事発注情報DB３３などが含まれている。
【００５０】
図３は、弋工事、土工などを請け負う建築工事の専門業者、すなわち、業者が、本発明の建築工事の新規取引業者開拓システム１に自己の端末（例えば、携帯電話、パーソナルコンピュータ、等）からインターネット等の有線又は無線のネットワークを介してアクセスし、建築工事の新規取引業者開拓システム１の業者情報登録処理部１１によって、業者情報データベース３１に登録されるまでの工程を説明するフロー図である。
【００５１】
以下、本発明の建築工事の新規取引業者開拓システム１を単に「管理サーバー」と表示して説明する。
【００５２】
業者がメインメニューを要求すると、管理サーバーが図８図示のようなメインメニューを業者側端末に送信する。次に、業者が業者登録画面を要求すると、管理サーバーが図９図示のような業者登録画面を業者側端末に送信する。ついで、業者が業者登録画面の選択内容を送信すると、管理サーバーが図１１図示のような業者登録画面を業者側端末に送信する。そこで、業者が、当該受信した業者登録画面に必要事項（すなわち、業者情報）を入力して管理サーバーへ送信すると、情報取得部４で当該業者情報を取得した管理サーバーの業者情報登録処理部１１が、当該業者情報を送信してきた業者を特定する業者ＩＤと業者パスワードとを付与し、この業者情報と当該業者ＩＤ及び業者パスワードとを関連づけて業者情報データベース３１に登録し、当該業者ＩＤと業者パスワードとを情報出力部３からネットワークを介して業者の端末へ送信する。
【００５３】
以降、この業者は、付与された業者ＩＤと業者パスワードとを用いて本発明の建築工事の新規取引業者開拓システムを利用することができる。
【００５４】
なお、図示していないが、弋工事、土工などを請け負う建築工事の専門業者、等の業者（業者）に仕事を発注する元請会社、設計事務所などの依頼者が、自己の端末（例えば、携帯電話やパーソナルコンピュータ）を用いて管理サーバーにアクセスし、管理サーバーの依頼者情報登録処理部１２が、管理サーバーの情報取得部で依頼者情報を取得した際に、当該依頼者情報を送信してきた依頼者（すなわち、弋工事、土工などを請け負う建築工事の専門業者に仕事を発注する元請会社や、設計事務所など）を特定する依頼者ＩＤと依頼者パスワードを付与し、前記依頼者情報と当該依頼者ＩＤ及び依頼者パスワードとを関連づけて依頼者情報データベース３２に登録すると共に、当該依頼者ＩＤと依頼者パスワードとを情報出力部からネットワークを介して当該依頼者の端末へ出力する工程も、図３図示の工程と同じように行われる。
【００５５】
こうして、依頼者ＩＤと依頼者パスワードの付与を受けた依頼者も、その後、付与された依頼者ＩＤと依頼者パスワードとを用いて本発明の建築工事の新規取引業者開拓システムを利用することができる。
【００５６】
本発明の建築工事の新規取引業者開拓システムにおいては、前述した図３図示の工程で業者情報登録処理部１１が行う業者情報の登録の他に、図２図示のような簡略な工程での業者情報登録が第二の業者情報登録処理部２１によって行われる。
【００５７】
この第二の業者情報登録処理部２１が行う処理動作は、管理サーバーの情報取得部４で業者情報を取得したときに、当該業者情報を送信してきた業者を特定する業者ＩＤを付与し、この業者情報と業者ＩＤとを関連づけて業者情報データベース３１に登録し、当該業者ＩＤを情報出力部３からネットワークを介して業者の端末へ送信するというものである。
【００５８】
この工程が、業者情報登録処理部１１が行う図３図示の工程の業者登録と相違しているのは、業者ＩＤは与えられるが、業者パスワードは与えられないということである。
【００５９】
こうして、業者パスワードが与えられずに業者情報データベース３１に登録された業者の情報は、後述する、マッチング処理部１４、概略情報生成処理部１５の処理動作において参照される。そこで、このような業者パスワードが付与されていない業者の情報も、依頼者に送信される概略業者情報の中に含まれるし、このような業者パスワードが付与されていない業者も、ネットワークを介して、概略工事発注情報を取得することができる。
【００６０】
ただし、後述する、工事発注情報検索用情報送信処理部１６、工事発注情報送信処理部１８の処理動作を行わせるためには、業者パスワードが必要になることがあるので、その場合には、前記のように、図２図示の簡略な工程で、業者パスワードを取得することなく登録していた業者は、工事発注情報検索用情報送信処理部１６、工事発注情報送信処理部１８の処理動作を行わせるために、その前提として、図３図示の工程での業者情報登録を行うことが必要になる。
【００６１】
なお、図示していないが、依頼者情報の登録においても、前述した図３図示の工程で業者情報登録処理部１１が行う業者情報の登録と同様にして行われる依頼者情報登録処理部１２が行う依頼者情報の登録の他に、図２図示のような簡略な工程と同様の依頼者情報登録が第二の依頼者情報登録処理部２２によって行われる。
【００６２】
この第二の依頼者情報登録処理部２２が行う処理動作は、管理サーバーの情報取得部４で依頼者情報を取得したときに、当該依頼者情報を送信してきた依頼者を特定する依頼者ＩＤを付与し、この依頼者情報と依頼者ＩＤとを関連づけて依頼者情報データベース３２に登録し、当該依頼者ＩＤを情報出力部３からネットワークを介して依頼者の端末へ送信するというものである。
【００６３】
この工程が、依頼者情報登録処理部１２が行う図３図示の業者登録の工程と同様の依頼者情報登録と相違しているのは、依頼者ＩＤは与えられるが、依頼者パスワードは与えられないということである。
【００６４】
図４は、工事発注情報登録処理部１３が行う処理工程を説明するものである。
【００６５】
依頼者が自己の端末（例えば、携帯電話、パーソナルコンピュータ）からメインメニューを要求すると、管理サーバーが図８図示のようなメインメニューを依頼者側端末に送信する。次に、依頼者が工事発注情報入力画面を要求すると、管理サーバーが図１２図示のような工事発注情報入力画面を依頼者側端末に送信する。
【００６６】
ここで、依頼者は、前記の依頼者情報登録処理部１２あるいは第二の依頼者情報登録処理部２２によって付与された依頼者IDを入力した後、工事発注情報を入力して、管理サーバーへ送信する。
【００６７】
この工事発注情報、すなわち、依頼者を特定する情報である依頼者IDが含まれている工事発注情報を情報取得部４で取得した管理サーバーの工事発注情報登録処理部１３は、当該工事発注情報に発注番号と発注パスワードとを付与し、前記工事発注情報と当該発注番号及び発注パスワードとを関連づけて工事発注情報データベース３３に登録する。
【００６８】
すなわち、依頼者パスワードの付与を受けていない依頼者も、工事発注情報を、管理サーバーの工事発注情報データベース３３に登録することができる。
【００６９】
なお、こうして、工事発注情報を工事発注情報データベース３３に登録した依頼者は、その後、工事発注情報に変更が生じた場合など、自己の端末からネットワークを介して管理サーバーにアクセスし、依頼者IDと、発注番号及び発注パスワードとを利用することにより、工事発注情報登録処理部１３を動作させて、工事発注情報データベース３３に登録されている工事発注情報の内容を変更登録することができる。
【００７０】
なお、前記のように、依頼者パスワードが与えられずに依頼者情報データベース３２に登録された依頼者が、工事発注情報データベース３３に登録した工事発注情報は、後述する、マッチング処理部１４、概略情報生成処理部１５の処理動作において参照される。そこで、このような依頼者パスワードが付与されていない依頼者から工事発注情報データベース３３に登録された工事発注情報も、業者に送信される概略工事発注情報の中に含まれるし、このような依頼者パスワードが付与されていない依頼者も、ネットワークを介して、概略業者情報を取得することができる。
【００７１】
ただし、後述する、業者情報検索用情報送信処理部１７、業者情報送信処理部１９の処理動作を行わせるためには、依頼者パスワードが必要になることがある。そこで、このような場合、前記のように、図２図示の簡略な工程と同じように、依頼者パスワードを取得することなく登録していた依頼者は、業者情報検索用情報送信処理部１７、業者情報送信処理部１９の処理動作を行わせるために、図３図示の工程と同じようにして、依頼者情報登録を行うことが必要になる。
【００７２】
マッチング処理部１４は、工事発注情報データベース３３に登録されている工事発注情報と、業者情報データベース３１に登録されている業者とのマッチング処理を行ない、各工事発注情報と、各工事発注情報に含まれている条件に対応する条件を備えている業者との組み合わせ情報を生成する。
【００７３】
この工程が図５図示のフロー図において、「工事発注情報から該当業者を選択し、一覧表に記録する」と記載されているものである。
【００７４】
例えば、工事発注情報の発注を依頼する工事の種類（工種）の中に弋工事があるときに、提供可能な工事の種類（工種）の中に弋工事が含まれている業者を、当該工事発注情報に組合わせて組み合わせ情報を生成する。あるいは、工事発注情報に発注を依頼する工事の場所として、静岡県沼津市とあるときに、工事、等の仕事を提供可能な場所として静岡県沼津市が含まれている業者を、当該工事発注情報に組合わせて組み合わせ情報を生成する。
【００７５】
概略情報生成処理部１５は、マッチング処理部１４での処理の結果、各工事発注情報に組み合わされた前記業者の端末に対して、情報出力部３からネットワークを介して、当該組み合わされた各工事発注情報の中から抽出した所定の概略工事発注情報（例えば、前記の発注番号と、工種、細目、発注状況、工事タイトル、必要事項、概算数量、工事場所、見積提出期限、発注元は情報、などを含む各工事発注情報の概略であって、図１４のように表示されるもの）を出力する。
【００７６】
この工程が、図５図示のフロー図において、「工事発注業者名、ID、発注番号の送信」と記載されているものである。
【００７７】
また、概略情報生成処理部１５は、マッチング処理部１４での処理の結果、各業者に組み合わされた前記工事依発注情報に含まれている依頼者情報で特定される前記依頼者情報データベース３２に登録されている依頼者の端末に対して、情報出力部３からネットワークを介して、前記組み合わされた業者情報の中から抽出した所定の概略業者情報（例えば、業種、会社名、主な仕事内容、セールスポイント、等を含む業者情報の概略であって、図１３のように表示されるもの）を出力する。
【００７８】
マッチング処理部１４が行う処理及び、概略情報生成処理部１５が行う各工事発注情報に組み合わされた前記業者の端末に対して、情報出力部３からネットワークを介して、当該組み合わされた各工事発注情報の中から抽出した所定の概略工事発注情報を出力する処理は、管理サーバーが、情報取得部４で工事発注情報を取得した時点で、自動的に行われる。
【００７９】
また、マッチング処理部１４が行う処理及び、概略情報生成処理部１５が行う各業者に組み合わされた前記工事依発注情報に含まれている依頼者情報で特定される前記依頼者情報データベース３２に登録されている依頼者の端末に対して、情報出力部３からネットワークを介して、前記組み合わされた業者情報の中から抽出した所定の概略業者情報を出力する処理は、情報取得部４で依頼者を特定する情報を含む工事発注情報を取得した際に、当該工事発注情報に発注番号と発注パスワードとを付与し、前記工事発注情報と当該発注番号及び発注パスワードとを関連づけて工事発注情報データベース３３に登録する工事発注情報登録処理部１３の処理動作が行われた時点で、自動的に行われる。
【００８０】
そこで、本発明の建築工事の新規取引業者開拓システムにアクセスし、業者情報登録処理部１１による登録処理を受けた業者（例えば、建設会社、建築会社など）は、自社が提供可能な工事の種類（工種）が含まれている工事発注情報の概略や、あるいは、自社が、工事、等の仕事を提供可能な場所が含まれている工事発注情報の概略を、管理サーバーの情報取得部４が、工事発注情報を取得し、前述したマッチング処理部１４の処理が行われると、概略情報生成処理部１５の処理動作によって、逐次、受け取ることができる。
【００８１】
また、本発明の建築工事の新規取引業者開拓システムにアクセスし、工事発注情報を工事発注情報登録処理部１３の処理動作によって登録した依頼者（工事発注者）は、発注依頼したい工事の種類（工種）が提供可能な工事の種類（工種）に含まれている業者情報の概略や、発注依頼したい工事、等の場所が、工事、等の仕事を提供可能な場所に含まれている業者情報の概略を、マッチング処理部１４の処理が行われると、概略情報生成処理部１５の処理動作によって、逐次、受け取ることができる。
【００８２】
こうして、工事発注情報の概略を受け取った業者、業者情報の概略を受け取った依頼者（工事発注者）が、それぞれ、図５図示のように、メインメニューの送信を管理サーバーに要求すると、管理サーバーが図８図示のメインメニューを業者の端末、依頼者の端末へそれぞれ送信する。
【００８３】
メインメニューを取得した業者、依頼者が、それぞれ、図５図示のように、ログイン画面の送信を管理サーバーに要求すると、管理サーバーがログイン画面を業者の端末、依頼者の端末へそれぞれ送信する。
【００８４】
ログイン画面を取得した業者が、図５図示のように、業者ID、業者パスワードを管理サーバーに送信すると、管理サーバーの工事発注情報検索用情報送信処理部１６が、情報取得部４で取得した業者ＩＤと業者パスワードとを認証し、ネットワークを介して、当該認証した業者の端末に対して、図１７図示のような、工事発注情報の検索を促す工事発注情報検索用情報を出力する。
【００８５】
これが、図５のフロー図において、「工事発注情報・業者検索の画面送信」と記載されている工程である。
【００８６】
これに対して、前記業者が、前記の工事発注情報検索用情報に基づいて、工事発注情報検索要求情報を自己の端末から、ネットワークを介して、管理サーバーに送信することにより（これが、図５のフロー図において、「工事発注業者IDまたは発注番号入力」と記載されている工程である）、管理サーバーの工事発注情報送信処理部１８が、情報取得部４で取得した工事発注情報検索要求情報に基づき、工事発注情報データベース３３に登録されている工事発注情報を検索して当該工事発注情報検索要求情報に対応する工事発注情報を抽出し、抽出後の工事発注情報（例えば、図１３〜図１７に表現されているような工事発注情報）を、ネットワークを介して、当該工事発注情報検索要求情報を送信してきた業者の端末へ送信する。これが、図５のフロー図において、「工事発注情報・業者情報の画面の送信」と記載されている工程である。
【００８７】
これによって、業者は、効率よく、より多くの工事情報を入手することができて、このような業者における営業活動を効率化することができると共に、新規取引の拡大、受注拡大の可能性を増やすことができる。
【００８８】
一方、ログイン画面を取得した依頼者が、図５図示のように、依頼者ID、依頼者パスワードを管理サーバーに送信すると、管理サーバーの業者情報検索用情報送信処理部１７が、情報取得部４で取得した依頼者ＩＤと依頼者パスワードとを認証し、ネットワークを介して、認証した依頼者の端末に対して、業者情報の検索を促す業者情報検索用情報を出力する。
【００８９】
これが、図５のフロー図において、「工事発注情報・業者検索の画面送信」と記載されている工程である。
【００９０】
これに対して、前記依頼者が、前記の業者情報検索用情報に基づいて、業者情報検索要求情報を自己の端末から、ネットワークを介して、管理サーバーに送信することにより、管理サーバーの業者情報送信処理部１９が、情報取得部４で取得した業者情報検索要求情報に基づき、業者情報データベース３２に登録されている業者情報を検索して当該業者情報検索要求情報に対応する業者情報を抽出し、抽出後の業者情報を、ネットワークを介して、当該業者情報検索要求情報を送信してきた依頼者の端末へ送信する。これが、図５のフロー図において、「業者情報の画面の送信」と記載されている工程である。
【００９１】
これによって、依頼者（工事発注者）は、より多くの専門業者の、より豊富な情報を、効率よく入手できて、工事を発注する専門業者の選択肢を増やすことができると共に、高い技術を持った専門業者や、より低コストでより高品質な建築工事を行なう専門業者を効率よく探し出すことができる。
【００９２】
図６は、工事発注情報検索用情報送信処理部１６、工事発注情報送信処理部１８が行う工程の他の一例を詳細に説明するものである。
【００９３】
弋工事、土工などを請け負う建築工事の専門業者、等の業者が、自己の端末（例えば、携帯電話やパーソナルコンピュータ）を用いて管理サーバーにアクセスし、メインメニューを要求すると、管理サーバーが図８図示のようなメインメニューを送信し、これに対して、業者が、工事発注情報検索用情報の要求を管理サーバーに送信する。図６で「業者発注情報検索画面の要求」と記載されている工程である。
【００９４】
そこで、管理サーバーの工事発注情報検索用情報送信処理部１６が、図２０図示のような、工事発注情報の検索を促す工事発注情報検索用情報を業者の端末へ送信する。図６で「業者発注情報検索画面の送信（図２０）」と記載されている工程である。
【００９５】
これに対して、業者がその端末から、工事発注情報検索要求情報を管理サーバーに送信する。図６で「キーワード選択、入力、送信」と記載されている工程である。
【００９６】
そこで、管理サーバーの工事発注情報送信処理部１８が、管理サーバーの情報取得部４で取得した前記の工事発注情報検索要求情報（例えば、選択されたキーワード）に基づき、工事発注情報データベース３３に登録されている工事発注情報を検索して当該工事発注情報検索要求情報に対応する工事発注情報を抽出し、例えば、図１４図示のような、抽出後の工事発注情報を、ネットワークを介して、当該工事発注情報検索要求情報を送信してきた業者の端末へ送信する。図６で、「キーワードから業者発注情報リスト作成、送信（図１４）」と記載されている工程である。
【００９７】
そこで、業者がその端末から、再度、工事発注情報検索要求情報を管理サーバーに送信する。図６で「業者発注情報リストから情報選択の送信」と記載されている工程である。
【００９８】
これに対して、管理サーバーは図６図示のように、ＩＤ、パスワード入力画面を送信し、これを受けて、業者はその端末から、業者ＩＤ、業者パスワードを送信する。
【００９９】
管理サーバーの工事発注情報送信処理部１８は、管理サーバーの情報取得部４で取得したこの業者ＩＤ、業者パスワードを認証し、この認証を終えた後に、前記の工事発注情報検索要求情報（すなわち、「業者発注情報リストから情報選択」）に基づき、工事発注情報データベース３３に登録されている工事発注情報を検索して当該工事発注情報検索要求情報に対応する工事発注情報を抽出し、例えば、図１７図示のような、抽出後の工事発注情報を、ネットワークを介して、当該工事発注情報検索要求情報を送信してきた業者の端末へ送信する。図６で、「ＩＤ、パスワード照合」、「業者発注情報の詳細画面の送信（図１７）」と記載されている工程である。
【０１００】
なお、図６図示のフロー図では、管理サーバーの工事発注情報送信処理部１８が前記の処理動作を行う際に、業者ＩＤ、業者パスワードの認証が行われているが、工事発注情報送信処理部１８では業者ＩＤ、業者パスワードを認証する工程が行われず、工事発注情報検索用情報送信処理部１６が前記の処理を行う際に、業者ＩＤ、業者パスワードの認証が行われるようにすることも可能である。
【０１０１】
また、工事発注情報検索用情報送信処理部１６が行う処理工程と、工事発注情報送信処理部１８が行う処理工程のいずれにおいても業者ＩＤ、業者パスワードの認証が行われるようにすることも可能である。
【０１０２】
図７は、業者情報検索用情報送信処理部１７、業者情報送信処理部１９が行う工程の他の一例を詳細に説明するものである。
【０１０３】
弋工事、土工などを請け負う建築工事の専門業者、等の業者（業者）に仕事を発注する元請会社、設計事務所などの依頼者が、自己の端末（例えば、携帯電話やパーソナルコンピュータ）を用いて管理サーバーにアクセスし、メインメニューを要求すると、管理サーバーが図８図示のようなメインメニューを送信し、これに対して、依頼者が、業者情報検索用情報の要求を管理サーバーに送信する。図７で「業者情報検索画面の要求」と記載されている工程である。
【０１０４】
そこで、管理サーバーの業者情報検索用情報送信処理部１７が、図２０図示のような、業者情報の検索を促す業者情報検索用情報を依頼者の端末へ送信する。図６で「業者情報検索画面の送信（図２０）」と記載されている工程である。
【０１０５】
これに対して、依頼者がその端末から、業者情報検索要求情報を管理サーバーに送信する。図７で「キーワード選択、入力、送信」と記載されている工程である。
【０１０６】
そこで、管理サーバーの業者情報送信処理部１９が、管理サーバーの情報取得部４で取得した前記の業者情報検索要求情報（例えば、選択されたキーワード）に基づき、業者情報データベース３１に登録されている業者情報を検索して当該業者情報検索要求情報に対応する業者情報を抽出し、例えば、図１３図示のような、抽出後の業者情報を、ネットワークを介して、当該業者情報検索要求情報を送信してきた依頼者の端末へ送信する。図７で、「キーワードから業者発注情報リスト作成、送信（図１３）」と記載されている工程である。
【０１０７】
そこで、依頼者がその端末から、再度、業者情報検索要求情報を管理サーバーに送信する。図７で「業者情報リストから情報選択の送信」と記載されている工程である。
【０１０８】
これに対して、管理サーバーは図７図示のように、ＩＤ、パスワード入力画面を送信し、これを受けて、依頼者はその端末から、依頼者ＩＤ、依頼者パスワードを送信する。
【０１０９】
管理サーバーの業者情報送信処理部１８は、管理サーバーの情報取得部４で取得したこの依頼者ＩＤ、依頼者パスワードを認証し、この認証を終えた後に、前記の業者情報検索要求情報（すなわち、「業者情報リストから情報選択」）に基づき、業者情報データベース３１に登録されている業者情報を検索して当該業者情報検索要求情報に対応する業者情報を抽出し、例えば、図１６図示のような、抽出後の業者情報を、ネットワークを介して、当該業者情報検索要求情報を送信してきた依頼者の端末へ送信する。図７で、「ＩＤ、パスワード照合」、「業者情報（図１６）の詳細画面の送信」と記載されている工程である。
【０１１０】
なお、図７図示のフロー図では、管理サーバーの業者情報送信処理部１９が前記の処理動作を行う際に、依頼者ＩＤ、依頼者パスワードの認証が行われているが、業者情報送信処理部１９では依頼者ＩＤ、依頼者パスワードを認証する工程が行われず、業者情報検索用情報送信処理部１７が前記の処理を行う際に、依頼者ＩＤ、依頼者パスワードの認証が行われるようにすることも可能である。
【０１１１】
また、業者情報検索用情報送信処理部１７が行う処理工程と、業者情報送信処理部１９が行う処理工程のいずれにおいても依頼者ＩＤ、依頼者パスワードの認証が行われるようにすることも可能である。
【０１１２】
図２１は、業者評価情報登録処理部２０が行う処理工程の一例を説明するフロー図である。
【０１１３】
本発明の建築工事の新規取引業者開拓システムを利用することにより、弋工事、土工などを請け負う建築工事の専門業者、等の業者と、これらの業者に仕事を発注する元請会社、設計事務所などの依頼者との間で商談がまとまり、工事が発注されて、完了した後、依頼者が、その端末から管理サーバーにアクセスしてメインメニューを要求する。
【０１１４】
管理サーバーが図８図示のようなメインメニューを送信すると、依頼者がその端末から業者評価画面の要求を行い、これに対して、管理サーバーが、図２２図示のような業者評価画面を送信する。そこで、依頼者がその端末から、評価を行う業者（これは、依頼者との間でまとまった商談、契約により前述の工事などを行った業者である）を特定するための情報、例えば、当該業者の業者IDを管理サーバーに送信する。これに対して、管理サーバーは、情報取得部４で取得した「業者を特定するための情報」、例えば、当該業者の業者IDを利用して、これによって特定される業者用の評価表（例えば、図２３図示のような評価表）を依頼者の端末へ送信する。これが、図２１で、「業者ID用評価表送信（図２３）」と記載されている工程である。
【０１１５】
なお、前記の、各業者用の評価表（例えば、図２３図示のような評価表）は、業者IDのような業者を特定する情報に関連づけて業者情報データベース３１に格納しておくことができる。
【０１１６】
ついで、依頼者が、業者評価情報を管理サーバーに送信する。これが、図２１で、「業者ID用評価表の入力、送信」と記載されている工程である。
【０１１７】
そこで、管理サーバーが、アクセスしてきている依頼者を特定するための情報入力を求め（これが、図２１で、「入力者を特定するID・パスワード入力画面の送信」と記載されている工程である。）、依頼者が、その端末から依頼者ID、依頼者パスワードを入力して管理サーバーへ送信する。
【０１１８】
管理サーバーでは、情報取得部４で取得した前記の業者評価情報に付帯されることになるこの依頼者ＩＤと依頼者パスワードとを認証し、業者情報データベース３１に登録されている業者情報の中の、前記の業者評価情報で特定される（すなわち、前記の業者IDのような業者を特定する情報で特定される）業者情報に、前記の業者評価情報に含まれている業者評価情報を登録する処理を行う。そして、依頼者の端末へは、評価情報の登録が完了した旨を送信する。これらの工程が、図２１で、「ＩＤ・パスワード照合」、「業者評価情報の登録完了のメール送信」、「業者登録詳細情報（図１６）とリンクして評価情報を記録する」と記載されている工程である。
【０１１９】
なお、本発明の建築工事の新規取引業者開拓システムは、更に、第二の業者評価情報登録処理部２３をも備えている構成にすることができる。
【０１２０】
この第二の業者評価情報登録処理部２３は、弋工事、土工などを請け負う建築工事の専門業者、等の業者自らが、自らの評価を登録するものである点において、業者評価情報登録処理部２０が行う処理動作と相違しているだけであり、その工程は、図２１の業者評価情報登録処理部２０が行う処理工程とほぼ同一である。
【０１２１】
すなわち、業者が、その端末から管理サーバーにアクセスしてメインメニューを要求する。管理サーバーが図８図示のようなメインメニューを送信すると、業者がその端末から業者評価画面の要求を行い、これに対して、管理サーバーが、図２２図示のような業者評価画面を送信する。そこで、業者がその端末から、評価を行う業者（すなわち、自社）を特定するための情報、例えば、自らの業者IDを管理サーバーに送信する。これに対して、管理サーバーは、情報取得部４で取得した「業者を特定するための情報」、例えば、当該業者の業者IDを利用して、これによって特定される業者用の評価表（例えば、図２４図示のような評価表）を業者の端末へ送信する。図２１における、「業者ID用評価表送信（図２３）」と記載されている工程である。
【０１２２】
この、各業者用の評価表（例えば、図２４図示のような評価表）は、業者IDのような業者を特定する情報に関連づけて業者情報データベース３１に格納しておくことができる。
【０１２３】
ついで、業者が、業者評価情報を管理サーバーに送信する。図２１における、「業者ID用評価表の入力、送信」と記載されている工程である。
【０１２４】
そこで、管理サーバーが、アクセスしてきている業者を特定するための情報入力を求め（図２１における、「入力者を特定するID・パスワード入力画面の送信」と記載されている工程である。）、業者が、その端末から業者ID、業者パスワードを入力して管理サーバーへ送信する。
【０１２５】
管理サーバーでは、情報取得部４で取得した前記の業者評価情報に付帯されることになるこの業者ＩＤと業者パスワードとを認証し、業者情報データベース３１に登録されている業者情報の中の、前記の業者評価情報で特定される（すなわち、前記の業者IDのような業者を特定する情報で特定される）業者情報に、前記の業者評価情報に含まれている業者評価情報を登録する処理を行う。そして、業者の端末へは、評価情報の登録が完了した旨を送信する。これらの工程が、図２１における、「ＩＤ・パスワード照合」、「業者評価情報の登録完了のメール送信」、「業者登録詳細情報（図１６）とリンクして評価情報を記録する」と記載されている工程である。
【０１２６】
この第二の業者評価情報登録処理部２３による弋工事、土工などを請け負う建築工事の専門業者、等の業者自らが、自らの評価を登録する工程は、例えば、業者が、前述した業者情報登録処理部１１の処理工程により、業者登録する行程で行うようにすることができる。
【０１２７】
更に、本発明の建築工事の新規取引業者開拓システムは、更に、第三の業者評価情報登録処理部をも備えている構成にすることができる。
【０１２８】
この第三の業者評価情報登録処理部は、本発明の建築工事の新規取引業者開拓システムを利用することにより、弋工事、土工などを請け負う建築工事の専門業者、等の業者と、これらの業者に仕事を発注する元請会社、設計事務所などの依頼者との間で商談がまとまり、工事が発注されて、完了した後、弋工事、土工などを請け負う建築工事の専門業者、等の業者が依頼者が、工事を発注していた依頼者の評価を登録するものである点において、業者評価情報登録処理部２０が行う処理動作と相違しているだけであり、その工程は、図２１の業者評価情報登録処理部２０が行う処理工程とほぼ同一である。
【０１２９】
すなわち、業者が、その端末から管理サーバーにアクセスしてメインメニューを要求する。管理サーバーが図８図示のようなメインメニューを送信すると、業者がその端末から業者評価画面の要求を行い、これに対して、管理サーバーが、図２２図示のような業者評価画面を送信する。そこで、業者がその端末から、評価を行う依頼者（すなわち、工事を発注していた依頼者）を特定するための情報、例えば、依頼者IDを管理サーバーに送信する。これに対して、管理サーバーは、情報取得部４で取得した「業者を特定するための情報」、例えば、当該依頼者の依頼者IDを利用して、これによって特定される依頼者用の評価表（例えば、図２４図示のような評価表）を業者の端末へ送信する。図２１における、「業者ID用評価表送信（図２３）」と記載されている工程である。
【０１３０】
この、各依頼者用の評価表（例えば、図２４図示のような評価表）は、依頼者IDのような依頼者を特定する情報に関連づけて依頼者情報データベース３２に格納しておくことができる。
【０１３１】
ついで、業者が、依頼者評価情報を管理サーバーに送信する。図２１における、「業者ID用評価表の入力、送信」と記載されている工程である。
【０１３２】
そこで、管理サーバーが、アクセスしてきている業者を特定するための情報入力を求め（図２１における、「入力者を特定するID・パスワード入力画面の送信」と記載されている工程である。）、業者が、その端末から業者ID、業者パスワードを入力して管理サーバーへ送信する。
【０１３３】
管理サーバーでは、情報取得部４で取得した前記の依頼者評価情報に付帯されることになるこの業者ＩＤと業者パスワードとを認証し、依頼者情報データベース３２に登録されている依頼者情報の中の、前記の依頼者評価情報で特定される（すなわち、前記の依頼者IDのような依頼者を特定する情報で特定される）依頼者情報に、前記の依頼者評価情報に含まれている依頼者評価情報を登録する処理を行う。そして、業者の端末へは、評価情報の登録が完了した旨を送信する。これらの工程が、図２１における、「ＩＤ・パスワード照合」、「業者評価情報の登録完了のメール送信」、「業者登録詳細情報（図１６）とリンクして評価情報を記録する」と記載されている工程である。
【０１３４】
こうして、本発明の建築工事の新規取引業者開拓システムによれば、本発明の建築工事の新規取引業者開拓システムを利用して仕事を受注した業者の仕事内容、等に対する評価、しかも、工事を依頼した依頼者が下した評価と、業者自らが行った評価が業者情報データベース３１に蓄積されていくので、依頼者（工事発注者）は、かかる情報を利用することにより、高い技術を持った専門業者や、より低コストでより高品質な建築工事を行なう専門業者をより効率よく探しだせるようになる。
【０１３５】
また、仕事を請け負って完了させた業者が依頼者に対して下した評価が依頼者情報データベース３２に蓄積されていくので、業者は、かかる情報を利用することにより、よりよい条件での仕事の受注を目指すことが可能になる。
【０１３６】
以上、添付図面を参照して本発明の好ましい実施形態を説明したが、本発明はかかる実施形態に限定されることなく、特許請求の範囲の記載から把握される技術的範囲において種々の態様に変更可能である。
【図面の簡単な説明】
【０１３７】
【図１】この発明が提案する建築工事の新規取引業者開拓システムが実施される形態の一例を説明する図。
【図２】業者情報の登録処理工程の一例を説明するフロー図。
【図３】業者情報の登録処理工程の他の一例を説明するフロー図。
【図４】工事発注情報登録処理部が行う処理工程の一例を説明するフロー図。
【図５】この発明が提案する建築工事の新規取引業者開拓システムが実施されるときの全体の処理工程の一例を概括して説明するフロー図。
【図６】工事発注情報検索用情報送信処理部、工事発注情報送信処理部が行う工程の他の一例を詳細に説明するフロー図。
【図７】業者情報検索用情報送信処理部、業者情報送信処理部が行う工程の他の一例を詳細に説明するフロー図。
【図８】メインメニューとして表示される情報の一例を表す図。
【図９】業者登録画面として表示される情報の一例を表す図。
【図１０】業者登録画面として表示される情報の他の一例を表す図。
【図１１】業者登録画面として表示される情報の更に他の一例を表す図。
【図１２】工事発注情報入力画面として表示される情報の一例を表す図。
【図１３】概略業者情報として表示される情報の一例を説明する図。
【図１４】概略工事発注情報として表示される情報の一例を説明する図。
【図１５】工事発注情報として表示される情報の一例を説明する図。
【図１６】工事発注情報として表示される情報の他の一例を説明する図。
【図１７】工事発注情報の検索を促す工事発注情報検索用情報として表示される情報の一例を説明する図。
【図１８】工事発注情報を登録している依頼者に送信される概略業者情報の表示の一例を表す図。
【図１９】業者に対して送信される見積依頼の表示の一例を表す図。
【図２０】工事発注情報の検索を促す工事発注情報検索用情報として表示される情報の一例を説明する図。
【図２１】業者評価情報登録処理部が行う処理工程の一例を説明するフロー図。
【図２２】業者評価画面として表示される情報の一例を説明する図。
【図２３】依頼者が業者を評価する際の業者評価表として表示される情報の一例を説明する図。
【図２４】業者が自らを評価する際の業者評価表として表示される情報の一例を説明する図。
【図２５】この発明が提案する建築工事の新規取引業者開拓システムの構成概要の一例を説明する図。
【符号の説明】
【０１３８】
１  建築工事の新規取引業者開拓システム
２  処理動作部
３  情報出力部
４  情報取得部
５  主記憶部
１１  業者情報登録処理部
１２  依頼者情報登録処理部
１３  工事発注情報登録処理部
１４  マッチング処理部
１５  概略情報生成処理部
１６  工事発注情報検索用情報送信処理部
１７  業者情報検索用情報送信処理部
１８  工事発注情報送信処理部
１９  業者情報送信処理部
２０  業者評価情報登録処理部
２１  第二の業者情報登録処理部
２２  第二の依頼者情報登録処理部
２３  第二の業者評価情報登録処理部
３１  業者情報データベース
３２  依頼者情報データベース
３３  工事発注情報データベース
【図１】
2006011773.tif 000003
【図２】
2006011773.tif 000004
【図３】
2006011773.tif 000005
【図４】
2006011773.tif 000006
【図５】
2006011773.tif 000007
【図６】
2006011773.tif 000008
【図７】
2006011773.tif 000009
【図８】
2006011773.tif 000010
【図９】
2006011773.tif 000011
【図１０】
2006011773.tif 000012
【図１１】
2006011773.tif 000013
【図１２】
2006011773.tif 000014
【図１３】
2006011773.tif 000015
【図１４】
2006011773.tif 000016
【図１５】
2006011773.tif 000017
【図１６】
2006011773.tif 000018
【図１７】
2006011773.tif 000019
【図１８】
2006011773.tif 000020
【図１９】
2006011773.tif 000021
【図２０】
2006011773.tif 000022
【図２１】
2006011773.tif 000023
【図２２】
2006011773.tif 000024
【図２３】
2006011773.tif 000025
【図２４】
2006011773.tif 000026
【図２５】
2006011773.tif 000027